(57)【要約】【課題】  既に販売されているスマートフォン、及び電子キーを利用して、鍵のまた貸しをすることのできない保管庫システムを提供すること【解決手段】  電子キー１３が接続される個体認証手段を備えるスマートフォン１１を有し、（ａ）スマートフォン１１が、電子キー１３の固有番号と、パスワード入力情報と、開錠したい保管庫の保管庫番号を、サーバー１４に送信し、（ｂ）サーバー１４は、電子キー１３の固有番号と、パスワード入力情報が一致しており、一致する情報で特定される個人が、保管庫番号で特定される保管庫５０のアクセス権限を有している場合に、開錠許可保管庫番号を、スマートフォン１１に送信し、（ｃ）スマートフォン１１は、開錠許可保管庫番号、及び開錠許可保管庫番号の有効時刻または有効回数を、電子キーの開錠許可手段に書き込むこと、（ｄ）錠前制御手段４０は、有効時刻が超えているとき、または使用回数が有効回数を超えているときには、保管庫の錠前の開錠を行わないこと、を特徴とする。【選択図】  図１
2011064030.tif 000002
【特許請求の範囲】
【請求項１】
開錠が許可されている開錠許可保管庫番号を記憶する開錠許可記憶手段を備える電子キーを用いて、開錠が許可されている保管庫の錠前を開錠する保管庫制御手段を有する保管庫システムにおいて、
前記電子キーが接続される個体認証手段を備えるスマートフォンを有し、
前記スマートフォンが、前記電子キーの固有情報と、前記個体認証手段の個体認証情報と、開錠したい保管庫の保管庫番号を、サーバーに送信し、
前記サーバーは、前記電子キーの固有情報と、前記個体認証情報が一致しており、前記個体認証情報で特定される個人が、前記保管庫番号で特定される保管庫のアクセス権限を有している場合に、前記開錠許可保管庫番号を、前記スマートフォンに送信し、
前記スマートフォンは、前記開錠許可保管庫番号、及び前記開錠許可保管庫番号の有効時刻または有効回数を、前記電子キーの前記開錠許可手段に書き込むこと、
前記保管庫制御手段は、前記有効時刻が経過しているとき、または使用回数が前記有効回数を超えているときには、保管庫の錠前の開錠を行わないこと、
を特徴とする保管庫システム。
【請求項２】
請求項１に記載する保管庫システムにおいて、
前記スマートフォンが、アップル社製の「iPhone」であることを特徴とする保管庫システム。
【請求項３】
請求項１または請求項２に記載する保管庫システムにおいて、
前記スマートフォンの接続端子と接続する第１接続端子と、前記電子キーと接続する第２接続端子とを備えるコネクタを有することを特徴とする保管庫システム。
【請求項４】
請求項１または請求項２に記載する保管庫システムにおいて、
前記電子キーが、前記スマートフォンと接続するための第１接続端子を備えていることを特徴とする保管庫システム。
【請求項５】
請求項１乃至請求項４に記載する保管庫システムのいずれか１つにおいて、
前記スマートフォンが、ＧＰＳ情報を前記サーバーに送信すること、
前記サーバーは、前記ＧＰＳ情報が、前記開錠したい保管庫の近くのエリア内でないときには、前記開錠許可保管庫番号を送信しないこと、
を特徴とする保管庫システム。
【請求項６】
請求項１乃至請求項５に記載する保管庫システムのいずれか１つにおいて、
前記電子キーにより、前記保管庫の錠前を施錠した後、前記電子キーを前記スマートフォンに接続し、
前記スマートフォンは、前記電子キーに記憶されている施錠時刻情報を、前記サーバーに送信すること、
前記サーバーは、前記開錠許可保管庫番号を前記スマートフォンに送信した後、前記施錠時刻情報を入手するまでの期間、前記開錠許可保管庫番号を、他のスマートフォンに送信することを禁止すること、
を特徴とする保管庫システム。
【請求項７】
請求項１乃至請求項６に記載するいずれか１つの保管庫システムを実施するための保管庫プログラムにおいて、
前記サーバーから、前記スマートフォンにダウンロードされることを特徴とする保管庫プログラム。
【発明の詳細な説明】
【技術分野】
【０００１】
この発明は、開錠が許可されている開錠許可保管庫番号を記憶する開錠許可記憶手段を備える電子キーを用いて、開錠が許可されている保管庫の錠前を開錠する保管庫制御手段を有する保管庫システムに関するものである。
【背景技術】
【０００２】
従来、鍵管理ボックスに保管庫や書庫の鍵を収納し、使用権限のある使用者がＩＤカードを使って、鍵管理ボックスから、鍵を取り出して保管庫や書庫の開閉を行うことが行われている。
特許文献１には、本出願人が提案した電子キーを用いるシステムが開示されている。電子キーは、接触式ＩＣチップと記憶手段を内部に備えており、従来のメカニカルなキーと違って、電子キーを使用した時間、使用者等の保管庫の使用履歴が記憶されており、電子キーの使用履歴を鍵管理ボックスで吸い上げることができるため、セキュリティレベルが向上する。すなわち、書類の紛失等のトラブルが発生した場合に、使用履歴を調べることにより、責任者を特定できる。
一方、特許文献２において、本出願人は、鍵管理ボックスを使用せずに、携帯電話に非接触式ＩＣチップを内蔵させて、使用したい保管庫に携帯電話を掲げることにより、通信により使用権限を付与して、錠前を開錠することを提案している。
【先行技術文献】
【特許文献】
【０００３】
【特許文献１】特許第4245656号公報
【特許文献２】特開2007-068138号公報
【発明の概要】
【発明が解決しようとする課題】
【０００４】
しかしながら、従来技術には、つぎのような問題があった。
（１）特許文献１の技術では、鍵管理ボックスから電子キーを取り出した本人が、保管庫を使用した後、別人にまた貸しした場合、保管庫の使用時刻は履歴に残るが、使用者としては、誤った人が記憶されてしまう。それを防止するためには、電子キーの使用回数をたとえば１回に制限して、１回使用する毎に必ず、電子キーを鍵管理ボックスに返却させることも考えられる。しかし、保管庫と鍵管理ボックスが離れて配置されている場合には、使用者の時間ロスが大きくなり、仕事効率が低下する問題がある。特に、その場合には、書類を取り出すときと、書類をしまうときの少なくとも２回、保管庫と鍵管理ボックスの間を往復しなければならず、きわめて煩雑である。
（２）特許文献２の技術を用いれば、鍵管理ボックスを用いることなく、また貸しの発生も防止可能であるが、本出願人のような、中小企業では自らの力で、ＩＣチップ内蔵の携帯電話を製造販売することはできなかった。また、大手の携帯電話会社にアピールしても、特許文献２の提案は採用されず、実施することができなかった。
【０００５】
そのような状況下において、アップル社が販売を開始した「iPhone」（アップル社の商標）を利用することを本出願人は考え付いたのである。
常に、電子キーのまた貸しの問題について、考え抜いていたからこそ、そして、特許文献１及び２の保管庫システムを提案していた本出願人だからこそ、本願発明を想到し得たのであり、特許文献１，２、及び「iPhone」を組み合わせること自体、当業者にとって容易でない。なぜならば、それらの文献には、鍵のまた貸しの課題が記載されていないからである。鍵のまた貸しの問題は、最近の課題だからである。というのは、今までのメカニカルキーを使用している場合には、鍵のまた貸しを防止することは、ほとんど不可能であり、夢物語であって具体的な課題とはなりえなかったのである。
また、それらを組み合わせたとしても、本発明をなすことは困難である。
【０００６】
この発明は上記問題点を解決するためのものであって、既に販売されているスマートフォン、及び電子キーを利用して、鍵のまた貸しをすることのできない保管庫システムを提供することを目的とする。
【課題を解決するための手段】
【０００７】
上記目的を達成するために、本発明の保管庫システムは、次のような構成を有している。
（１）開錠が許可されている開錠許可保管庫番号を記憶する開錠許可記憶手段を備える電子キーを用いて、開錠が許可されている保管庫の錠前を開錠する保管庫制御手段を有する保管庫システムであって、電子キーが接続される個体認証手段を備えるスマートフォンを有し、（ａ）スマートフォンが、電子キーの固有番号と、個体認証手段の個体認証情報と、開錠したい保管庫の保管庫番号を、サーバーに送信し、（ｂ）サーバーは、電子キーの固有番号と、個体認証情報が一致しており、個体認証情報で特定される個人が、保管庫番号で特定される保管庫のアクセス権限を有している場合に、開錠許可保管庫番号を、スマートフォンに送信し、（ｃ）スマートフォンは、開錠許可保管庫番号、及び開錠許可保管庫番号の有効時刻または有効回数を、電子キーの開錠許可手段に書き込むこと、（ｄ）保管庫制御手段は、有効時刻を超えているとき、または使用回数が有効回数を超えているときには、保管庫の錠前の開錠を行わないこと、を特徴とする。
【０００８】
（２）（１）に記載する保管庫システムにおいて、前記スマートフォンが、アップル社製の「iPhone」であることを特徴とする。
（３）（１）または（２）に記載する保管庫システムにおいて、前記スマートフォンの接続端子と接続する第１接続端子と、前記電子キーと接続する第２接続端子とを備えるコネクタを有することを特徴とする。
（４）（１）または（２）に記載する保管庫システムにおいて、前記電子キーが、前記スマートフォンと接続するための第１接続端子を備えていることを特徴とする。
【０００９】
（５）（１）乃至（４）に記載する保管庫システムのいずれか１つにおいて、前記スマートフォンが、ＧＰＳ情報を前記サーバーに送信すること、前記サーバーは、前記ＧＰＳ情報が、前記開錠したい保管庫の近くのエリア内でないときには、前記開錠許可保管庫番号を送信しないこと、を特徴とする。
（６）（１）乃至（５）に記載する保管庫システムのいずれか１つにおいて、（ｅ）前記電子キーにより、前記保管庫の錠前を施錠した後、前記電子キーを前記スマートフォンに接続し、前記スマートフォンは、前記電子キーに記憶されている施錠時刻情報を、前記サーバーに送信すること、（ｆ）前記サーバーは、前記開錠許可保管庫番号を前記スマートフォンに送信した後、前記施錠時刻情報を入手するまでの期間、前記開錠許可保管庫番号を、他のスマートフォンに送信することを禁止すること、を特徴とする。
【００１０】
また、本保管庫システムで使用される保管庫プログラムは、次の構成を有する。
（７）（１）乃至（６）に記載するいずれか１つの保管庫システムを実施するための保管庫プログラムにおいて、前記サーバーから、前記スマートフォンにダウンロードされることを特徴とする。
【発明の効果】
【００１１】
次に、上記構成を有する本発明の保管庫システムの作用・効果について説明する
（１）開錠が許可されている開錠許可保管庫番号を記憶する開錠許可記憶手段を備える電子キーを用いて、開錠が許可されている保管庫の錠前を開錠する保管庫制御手段を有する保管庫システムであって、電子キーが接続される個体認証手段を備えるスマートフォンを有し、（ａ）スマートフォンが、電子キーの固有情報と、個体認証手段の個体認証情報と、開錠したい保管庫番号を、サーバーに送信し、（ｂ）サーバーは、電子キーの固有情報と、個体認証情報が一致しており、個体認証情報で特定される個人が、保管庫番号で特定される保管庫のアクセス権限を有している場合に、開錠許可保管庫番号を、スマートフォンに送信し、（ｃ）スマートフォンは、開錠許可保管庫番号、及び開錠許可保管庫番号の有効時刻または有効回数を、電子キーの開錠許可手段に書き込むこと、（ｄ）保管庫制御手段は、有効時刻を超えているとき、または使用回数が有効回数を超えているときには、保管庫の錠前の開錠を行わないこと、を特徴とするので、以下のように作用する。
【００１２】
具体的には、使用者は、使用したい保管庫の近くで、スマートフォンに電子キーを接続し、パスワード、指紋認証、静脈認証等の個人認証を行う。（ａ）スマートフォンは、電子キーの固有番号等の固有情報と、個人認証情報とをサーバーに送信する。（ｂ）サーバーは、電子キーの固有情報と、個体認証情報が一致しており、個体認証情報で特定される個人が、保管庫番号で特定される保管庫のアクセス権限を有している場合に、開錠許可保管庫番号を、スマートフォンに送信する。（ｃ）スマートフォンは、開錠許可保管庫番号、及び開錠許可保管庫番号の有効時刻または有効回数を、電子キーの開錠許可手段に書き込む。使用者は、電子キーを保管庫の錠前に挿し込む。保管庫の保管庫制御手段は、電子キーの開錠許可保管庫番号を読み取り、開錠が許可されていれば、保管庫の錠前を開錠する。
【００１３】
ここで、有効時刻は、例えば、許可が与えられた時刻の５分後の時刻に設定されており、使用者は、サーバーから許可が与えられてから、５分以内に保管庫の錠前に電子キーを挿入しなければならない。５分後の時刻が経過すると、電子キーを錠前に挿入しても、錠前の開錠・施錠を制御する保管庫の保管庫制御手段が、錠前の開錠を行わない。同様に、電子キーに回数制限、例えば開錠１回（施錠は開錠に付随行為とする）と記憶されていれば、使用者は、１回のみ開錠・施錠を行うことができるが、２回はできない。それらの場合には、使用者は再び、スマートフォンを用いて、サーバーから許可を受けることが必要である。
使用者が通常の手順により、保管庫の錠前を開錠した場合には、その作業中に、有効時刻が経過するため、または有効回数が満たされてしまうため、鍵のまた貸しをすることを確実に防止することができる。
開錠権限を有する別人は、鍵のまた貸しを受けるのではなく、保管庫の近く、自ら上記作業を行えば良いのである。これにより、保管庫システムは、保管庫の開錠時刻及び使用者を確実に履歴として保存することができる。
【００１４】
（２）（１）に記載する保管庫システムにおいて、前記スマートフォンが、アップル社製の「iPhone」であることを特徴とするので、既に多数販売されている製品をそのまま使用できる。すなわち、「iPhone」には、サーバーからプログラムをダウンロードして、そのプログラムを用いて、「iPhone」を動かす機能がある。予め、保管庫プログラムを、個人使用の「iPhone」にダウンロードしておくだけで、本発明の保管庫システムで使用することができ、本出願人が以前考えていたような、携帯電話にＩＣチップを内蔵させなくてもよいため、全体コストを低減でき、現在のオフィスで使用可能な、また貸し防止機能を有する保管庫システムを実現できる。
【００１５】
（３）（１）または（２）に記載する保管庫システムにおいて、前記スマートフォンの接続端子と接続する第１接続端子と、前記電子キーと接続する第２接続端子とを備えるコネクタを有することを特徴とするので、スマートフォンの接続端子をそのまま利用して、電子キーをスマートフォンと接続することができる。コネクタは、コンパクトなものであり、電子キーに接続させた状態で保持していれば、邪魔となることはない。
ここで、電子キーとコネクタとを一体型としても良い。
（４）（１）または（２）に記載する保管庫システムにおいて、前記電子キーが、前記スマートフォンと接続するための第１接続端子を備えていることを特徴とするので、スマートフォンとは、電子キーの第１接続端子を用いて接続し、錠前とは、電子キーの挿入部を用いて接続できるため、余分なコネクタを必要としないため、システムをシンプルにでき、使用者にとって使い勝手が良くなる利点がある。
【００１６】
（５）（１）乃至（４）に記載する保管庫システムのいずれか１つにおいて、前記スマートフォンが、ＧＰＳ情報を前記サーバーに送信すること、前記サーバーは、前記ＧＰＳ情報が、前記開錠したい保管庫の近くのエリア内でないときには、前記開錠許可保管庫番号を送信しないこと、を特徴とするので、例えば、上司が自分の机に居てスマートフォンを操作して、電子キーを使用できる状態にした後、電子キーを部下に渡して書類を取りに行かせることを防止できる。
【００１７】
（６）（１）乃至（５）に記載する保管庫システムのいずれか１つにおいて、（ｅ）前記電子キーにより、前記保管庫の錠前を施錠した後、前記電子キーを前記スマートフォンに接続し、前記スマートフォンは、前記電子キーに記憶されている施錠時刻情報を、前記サーバーに送信すること、（ｆ）前記サーバーは、前記開錠許可保管庫番号を前記スマートフォンに送信した後、前記施錠時刻情報を入手するまでの期間、前記開錠許可保管庫番号を、他のスマートフォンに送信することを禁止すること、を特徴とするので、１つの保管庫に対して、２以上のスマートフォンに同時に、開錠許可をあたえることがないため、使用者が錯綜して、履歴の確実性、すなわち、使用者の特定を確実に行うことができる。
【００１８】
また、本保管庫システムで使用される保管庫プログラムは、次の構成を有する。
（７）（１）乃至（６）に記載するいずれか１つの保管庫システムを実施するための保管庫プログラムにおいて、前記サーバーから、前記スマートフォンにダウンロードされることを特徴とするので、スマートフォンの有するダウンロード機能、ダウンロードしたプログラムを利用する機能、通信機能等をそのまま活用できるため、使用者にとって、使い勝手の良い保管庫システムを提供することができる。
【図面の簡単な説明】
【００１９】
【図１】本発明の一実施例である保管庫システムの構成を示す図である。
【図２】保管庫システムの制御構成を示すブロック図である。
【図３】保管庫５０の外観図である。
【図４】保管庫５０の制御構成を示すブロック図である。
【図５】開錠時のスマートフォン１１の保管庫プログラム１１５の作用を示すフローチャートである。
【図６】施錠時のスマートフォン１１の保管庫プログラム１１５の作用を示すフローチャートである。
【図７】開錠時のサーバー１４のプログラム１４２の作用を示すフローチャートである。
【図８】施錠時のサーバー１４のプログラム１４２の作用を示すフローチャートである。
【図９】開錠時の錠前制御手段４０の保管庫プログラム４３１の作用を示すフローチャートである。
【図１０】施錠時の錠前制御手段４０の保管庫プログラム４３１の作用を示すフローチャートである。
【図１１】本発明の別の実施例である保管庫システムの構成を示す図である。
【発明を実施するための形態】
【００２０】
以下、本発明の保管庫システムを具体化した一実施形態について図面を参照して詳細に説明する。
図１に、本発明で利用するアップル社製のスマートフォン１１（商標名「iPhone」）、コネクタ１２、及び電子キー１３を示す。スマートフォン１１は、正面にタッチパネル１１１を備えている。タッチパネル１１は、画面を表示すると共に、画面にタッチすることにより、スイッチとして機能する。タッチパネル１１１には、複数のアイコン１１２ａ、１１２ｂ、１１２ｃ、１１２ｄ、・・・が表示される。特定のアイコン１１２にタッチすることにより、所望のプログラムを駆動することができる。プログラムは、予め、インターネットによりダウンロードされる。本実施例で使用されるプログラムである、保管庫プログラム１１５は、使用者が事前に、自分のスマートフォン１１にダウンロードしていることを前提としている。スマートフォン１１は、下端面に端子部１１３が形成され、外部機器と接続される。
【００２１】
図２に、スマートフォン１１、電子キー１３の制御的な構成をブロック図で示す。
スマートフォン１１は、全ての電気的作用を行わせるための電池１１７を有している。また、通信手段１１１、タッチパネル１１６、ＣＰＵ１１２、記憶手段１１４、位置検知用のＧＰＳ１１８を有している。記憶手段１１４には、保管庫プログラム１１５が記憶されている。
ＣＰＵ１１２、通信手段１１１、タッチパネル１１６、記憶手段１１４、ＧＰＳ１１８、及び電池１１７は、各々必要に応じて接続されている。
一方、サーバー１４は、通信手段１４１を備えている。スマートフォン１１の通信手段１１１は、サーバー１４の通信手段１４１と通信で接続可能である。
【００２２】
図１に示すように、スマートフォン１１の接続端子部１１３には、コネクタ１２が接続されている。コネクタ１２は、スマートフォン１１の接続端子部１１３と接続するための第１接続端子１２１と、電子キー１３の接続端子１３１と接続するための第２接続端子１２２を備えている。
電子キー１３は、樹脂製のキー本体１３３より、金属製の挿入部１３２が突出している。挿入部１３２のキー本体１３３側には、挿入部１３２の両面に一対の電極１３５が配置されている。
キー本体１３３の、挿入部１３２と反対側には、キーホルダ用孔１３７を構成するリング部１３４が形成され、キーホルダ用孔１３７には、ＬＥＤ１３９が配置されている。
本実施例の接触式ＩＣチップ１３１は、製品毎に固有の番号を記憶している。また、一対の電源端子のみであり、電源に通電することにより、接触式ＩＣチップ１３１に記憶されている固有番号、その他のデータを瞬時に読み出すことができる。
【００２３】
図２に示すように、電子キー１３は、固有の番号を記憶すると共に、他の情報を記憶可能な接触式ＩＣチップ１３１、ＬＥＤ１３９を有している。接触式ＩＣチップ１３１には、後述する開錠許可保管庫情報、有効時刻（または有効回数）、開錠時刻、施錠時刻等が、複数組記憶可能である。
ＬＥＤ１３９は、電子キー１３を錠前に挿入したときに、電子キー１３の端子と錠前の端子とが正常に導通したか否かを、使用者が目視で確認するためのものである。接触式ＩＣチップ１３１においては、端子の接触不良が問題となるが、本実施例の電子キー１３では、ＬＥＤ１３９の点灯により接触を確認できるため、もし点灯しなければ使用者が再度試みることにより使用できるため、接触式ＩＣチップ１３１の接触不良の問題を解決できる。すなわち、ＬＥＤ１３９が点灯したことは、接触式ＩＣチップ１３１に電源が供給されたことを意味し、同時に接触式ＩＣチップ１３１に記憶されているデータをスマートフォン１１が読み込んだことを意味している。
【００２４】
次に、鍵付保管庫の全体構成について説明する。図３は、鍵付保管庫５１、５２，５３の外観斜視図である。
３種類の保管庫５１，５２，５３が連続して設置されている。保管庫５１は、観音開き式の収納ボックス５１Ａを備える。保管庫５２は、１つの観音開き式の収納ボックス５２Ａと、３つの引き出し式収納ボックス５２Ｂ，５２Ｃ，５２Ｄを備える。保管庫５３は、保管庫５２と同じ構成である。各収納ボックス５１Ａ，５２Ａ，５２Ｂ，５２Ｃ，５２Ｄ，５３Ａ，５３Ｂ，５３Ｃ，５３Ｄには、錠前２０が取り付けられ、保管物が内部に収納される。保管庫５１の上面には、３つの保管庫５１，５２，５３の各収納ボックス５１Ａ，５２Ａ，５２Ｂ，５２Ｃ，５２Ｄ，５３Ａ，５３Ｂ，５３Ｃ，５３Ｄの開閉を制御するための錠前制御手段４０が付設されている。
【００２５】
図４は、図３に示す錠前制御手段４０の電気ブロック図である。
錠前制御手段４０は、データの加工や演算を行うＣＰＵ４１と、制御プログラムを記憶するＲＯＭ４３と、錠前２０が取り付けられた収納ボックスを開閉する権限を有する者のＩＤデータが予め登録され、接触式ＩＣチップから読み取ったデータ等の各種データやプログラムを読み書きされるＲＡＭ４２を備えている。錠前制御手段４０は、パソコン４４とＬＡＮにより接続されている。ＲＯＭ４３には、保管庫制御プログラム４３１が記憶されている。
各錠前２０Ａ，２０Ｂ，２０Ｃ…は、電子キー１にデータを読み書きするデータ通信基板４５Ａ，４５Ｂ，４５Ｃ…と、錠前２０の回転を制御するソレノイド４６Ａ，４６Ｂ，４６Ｃ…を備える。錠前制御手段４０は、各錠前２０のデータ通信基板４５Ａ，４５Ｂ，４５Ｃ…とソレノイド４６Ａ，４６Ｂ，４６Ｃ…に、配線を介して接続されている。
【００２６】
次に、上記構成を有する保管庫システムの作用について、プログラムに基づいて具体的に説明する。
図５に、スマートフォン１１に記憶された保管庫プログラム１１５のうち、開錠動作のフローチャートを示す。
特定の保管庫を使用することを望む使用者は、使用したい保管庫の近くで、スマートフォン１１の操作を行う。
始めに、電子キー１３の接触式ＩＣチップ１３１に記憶されている固有番号（電子キーの固有情報）を読み込む（Ｓ１０１）。接触式ＩＣチップ１３１においては、通電することにより、接触式ＩＣチップ１３１内に記憶されている固有番号を自動的に読み出すことができる。次に、タッチパネル１１６にキーボードを表示して、使用者にパスワードを入力してもらう（Ｓ１０２）。電子キー１３は、保管庫を使用する可能性のある全社員が１つずつ所有しており、個人毎に、所有している電子キーの固有番号を、サーバー１４が記憶している。次に、使用者は、開錠して使用したい保管庫番号を入力する（Ｓ１０３）。
次に、スマートフォン１１は、電子キー１３の固有番号、パスワード入力情報、及び開錠したい保管庫番号、及びＧＰＳ情報を、通信手段１１１を介して、サーバー１４に送信する（Ｓ１０４）。
【００２７】
次に、データを受信したサーバー１４の作用を説明する。図７に、サーバー１４に記憶されている本保管庫システムに関するプログラム１４２のうち、開錠動作のフローチャートを示す。始めに、サーバー１４は、通信手段１４１を介して、電子キー１３の固有番号、パスワード入力情報、開錠したい保管庫番号、及びＧＰＳ情報を受信する（Ｓ２０１）。ＧＰＳ情報は、スマートフォン１１の現在位置を示している。
次に、電子キー１３の接触式ＩＣチップ１３１に記憶されている固有番号から、その電子キー１３の所有者を特定し、入力されたパスワードが、当該所有者により事前に登録されているパスワードと一致するか否かを確認することにより、個人認証を行う（Ｓ２０３）。
個人認証が確認できたときには（Ｓ２０３；ＹＥＳ）、個人認証した使用者が、開錠を希望している保管庫に対するアクセス権限を有しているか否かを確認する（Ｓ２０４）。サーバー１４には、予め、保管庫毎に、アクセス権限（当該保管庫を開閉する権限）を有する者が登録されており、その登録を参照することにより、アクセス権限の有無を判断している。一方、個人認証ができなかったときには（Ｓ２０３；ＮＯ）、スマートフォンに対して不許可情報を送信する（Ｓ２０８）。
【００２８】
開錠したい保管庫へのアクセス権限を有している場合には（Ｓ２０４；ＹＥＳ）、取得したＧＰＳ信号が、所定のエリア内、すなわち、保管庫が配置されているエリア周辺領域内にあるか否か判断する（Ｓ２０５）。すなわち、スマートフォン１１を操作したときの位置（ＧＰＳ情報）が、所定のエリア内であるときは（Ｓ２０５；ＹＥＳ）、Ｓ２０６へ進む。また、スマートフォン１１を操作したときの位置（ＧＰＳ情報）が、所定のエリア内でないときは（Ｓ２０５；ＮＯ）、スマートフォンに対して不許可情報を送信する（Ｓ２０８）。
本実施例では、鍵のまた貸しを禁止するため、電子キー１３の有効時刻に制限を加えている。そのため、使用者は、使用する保管庫の近くにいる必要がある。また、保管庫にアクセスしようとしているのであるから、当然保管庫の近くにいるときに、本実施例の保管庫システムを操作すべきなのである。
このような制限を付加することにより、例えば、上司が自分の机にいてスマートフォン１１を操作して、電子キー１３を使用できる状態にした後、電子キー１３を部下に渡して書類を取りに行かせることを防止できる。また、会社内にいない場合には、当然、保管庫を使用する必要がないので、そのような場合にも、開錠許可を与えないようにしている。
【００２９】
次に、開錠したい保管庫が施錠状態にあるか否か判断する（Ｓ２０６）。開錠したい保管庫が施錠状態にあるときは（Ｓ２０６；ＹＥＳ）、スマートフォンへ開錠許可保管庫情報を送信し、該保管庫を開錠状態として記憶する（Ｓ２０７）。また、開錠したい保管庫が施錠状態にないときは（Ｓ２０６；ＮＯ）、スマートフォンに対して不許可情報を送信する（Ｓ２０８）。
ある人が、スマートフォン１１を用いて、開錠しているときに、他の人に開錠を認めると、その時間に誰が実際に使用していたかの履歴の記憶が複雑になるためである。開錠した使用者が確実に施錠も行い、他の人が使用するときは、前の人の使用が終了してからにすることにより、確実な履歴を記憶することができる。
【００３０】
次に、図５に戻って、スマートフォン１１の作用を説明する。開錠許可保管庫情報を受信したときは（Ｓ１０５；ＹＥＳ）、開錠許可保管庫情報、及び有効時刻を電子キー１３の接触式ＩＣチップ１３１に書き込む。不許可情報を受信したとき、または開錠許可保管庫情報を所定時間受信しないとき（Ｓ１０５；ＮＯ）、スマートフォン１１は、タッチパネル１１１に不許可を表示する（Ｓ２０７）。
図９に、錠前制御手段４０のＲＯＭ４３に記憶されている保管庫制御プログラム４３１の作用をフローチャートで示す。
錠前制御手段４０は、電子キー１３の記憶手段１３４に記憶されている固有情報、開錠許可保管庫情報、及び有効時刻を読み込む（Ｓ４０１）。錠前制御手段４０は、時計を有しており、現在時刻が読み込んだ有効時刻を超えていないか否かを判断する（Ｓ４０２）。有効時刻内であれば（Ｓ４０２；ＴＥＳ）、開錠許可保管庫情報により特定される保管庫５０の錠前２０を開錠する（Ｓ４０１）。また、有効時刻を過ぎていれば（Ｓ４０２；ＮＯ）、保管庫５０の表示装置に不許可を表示する。
【００３１】
有効時刻を書き込んでいるのは、使用者が保管庫を開けて必要な書類を取り出す場合、使用者が当該保管庫の近くにいることを前提として、保管庫を開くのに必要な最低限の時間のみ有効時刻として与えることにより、電子キー１３のまた貸しを防止するためである。
次に、電子キー１３の固有情報、開錠許可保管庫情報、開錠時刻を記憶する（Ｓ４０４）。
使用者は、錠前２０が開錠されることにより、保管庫５０内に収納されている書類を取り出して利用することができる。
本実施例では、有効時刻を用いているが、有効時刻の代わりに、または有効時刻と併用して、使用回数を記憶させてもよい。通常は、１回限りの開錠（施錠は開錠の付属的行為とする）を認めるため、使用回数として、１回を記憶すればよい。２回以上の使用回数を認めると、電子キー１３のまた貸しを防止しにくくなるからである。必要ならば、スマートフォン１１により、再び、開錠許可を得れば良いのである。ただし、場合によっては例外的に、２回以上の使用回数を認めても良い。
本実施例で、施錠を開錠の付属行為と考えているのは、書類の利用に際しては、基本的には、保管庫から必要な書類を取り出した後、一度保管庫を施錠し、書類を返却するときには、再度スマートフォン１１を用いて、開錠許可を得ることを前提に考えているからである。
【００３２】
次に、施錠する場合の作用について説明する。図１０に、施錠時の保管庫制御プログラム４３１の作用をフローチャートで示す。
書類を取り出した使用者は、電子キー１３を錠前に挿入する。錠前制御手段４０は、電子キー１３の固有情報を読み込む（Ｓ４１０）。次に、前回開錠した電子キー１３と同じ電子キー１３であることを確認した後、保管庫５０の錠前２０を施錠する（Ｓ４１１）。次に、電子キー１３の固有情報、施錠時刻を記憶する（Ｓ４１２）。
次に、図６にスマートフォン１１の保管庫プログラムの施錠時の作用をフローチャートで示す。使用者が装着した電子キー１３の固有情報を読み込む（Ｓ１１０）。次に、タッチパネル１１１を用いて、使用者にパスワードを入力させる（Ｓ１１１）。次に、電子キー１３の接触式ＩＣチップ１３１が記憶している開錠時刻、施錠時刻を読み込む（Ｓ１１２）。次に、電子キー１３の固有情報、入力されたパスワード、開錠時刻、及び施錠時刻をサーバー１４へ送信する（Ｓ１１３）。
【００３３】
次に、サーバー１４のプログラム１４２の施錠時の作用を図８にフローチャートで示す。
サーバー１４は、通信手段１４１を介してスマートフォン１１から、電子キー１３の固有情報、パスワード情報、開錠時刻、及び施錠時刻を受信する（Ｓ２１０）。次に、電子キー１３の固有情報とパスワード入力情報とにより、個人認証を行う（Ｓ２１１）。個人認証がＯＫならば（Ｓ２１２；ＹＥＳ）、使用者、開錠時刻、及び施錠時刻を履歴として記憶する（Ｓ２１３）。そして、該保管庫を施錠状態として記憶する（Ｓ２１４）。
一方、個人認証がＯＫでない場合は（Ｓ２１２；ＮＯ）、不受理を送信する（Ｓ２１５）。
施錠も書類のセキュリティにとっては重要な作用であり、開錠と同じレベルの作業を使用者に要求している。
使い終わった書類を保管庫に返却する作用は、開錠、施錠共に書類を取り出すときの作用と同じなので、説明を省略する。
【００３４】
以上詳細に説明したように、本実施例の保管庫システムによれば、開錠が許可されている開錠許可保管庫番号を記憶する接触式ＩＣチップ１３１を備える電子キー１３を用いて、開錠が許可されている保管庫５０の錠前２０を開錠する錠前制御手段４０を有する保管庫システムであって、電子キー１３が接続される個体認証手段を備えるスマートフォン１１を有し、（ａ）スマートフォン１１が、電子キー１３の固有番号と、パスワード入力情報と、開錠したい保管庫の保管庫番号を、サーバー１４に送信し、（ｂ）サーバー１４は、電子キー１３の固有番号と、パスワード入力情報が一致しており、一致する情報で特定される個人が、保管庫番号で特定される保管庫５０のアクセス権限を有している場合に、開錠許可保管庫番号を、スマートフォン１１に送信し、（ｃ）スマートフォン１１は、開錠許可保管庫番号、及び開錠許可保管庫番号の有効時刻または有効回数を、電子キーの開錠許可手段に書き込むこと、（ｄ）錠前制御手段４０は、有効時刻が超えているとき、または使用回数が有効回数を超えているときには、保管庫の錠前の開錠を行わないこと、を特徴とするので、例えば、有効時刻が、許可が与えられた時刻の５分後の時刻に設定されており、使用者は、サーバーから許可が与えられてから、５分以内に保管庫の錠前に電子キーを挿入しなければならない。５分後の時刻が経過すると、電子キーを錠前に挿入しても、錠前の開錠・施錠を制御する保管庫の保管庫制御手段が、錠前の開錠を行わない。同様に、電子キーに回数制限、例えば開錠１回（施錠は開錠に付随行為とする）と記憶されていれば、使用者は、１回のみ開錠・施錠を行うことができるが、２回はできない。それらの場合には、使用者は再び、スマートフォンを用いて、サーバーから許可を受けることが必要である。
使用者が通常の手順により、保管庫の錠前を開錠した場合には、その作業中に、有効時刻が経過するため、または有効回数が満たされてしまうため、鍵のまた貸しをすることを確実に防止することができる。
開錠権限を有する別人は、鍵のまた貸しを受けるのではなく、保管庫の近く、自ら上記作業を行えば良いのである。これにより、保管庫システムは、保管庫の開錠時刻及び使用者を確実に履歴として保存することができる。
【００３５】
また、本実施例の保管庫システムは、アップル社製の「iPhone」であることを特徴とするので、既に多数販売されている製品をそのまま使用できる。すなわち、「iPhone」には、サーバーからプログラムをダウンロードして、そのプログラムを用いて、「iPhone」を動かす機能がある。予め、保管庫プログラムを、個人使用の「iPhone」にダウンロードしておくだけで、本発明の保管庫システムで使用することができ、本出願人が以前考えていたような、携帯電話にＩＣチップを内蔵させなくてもよいため、全体コストを低減でき、現在のオフィスで使用可能な、また貸し防止機能を有する保管庫システムを実現できる。
【００３６】
また、本実施例の保管庫システムは、スマートフォン１１の接続端子と接続する第１接続端子１２１と、電子キー１３と接続する第２接続端子１２２とを備えるコネクタ１２を有することを特徴とするので、スマートフォン１１の接続端子１１３をそのまま利用して、電子キー１３をスマートフォン１１と接続することができる。コネクタ１２は、コンパクトなものであり、電子キー１３に接続させた状態で保持していれば、邪魔となることはない。
ここで、電子キー１３とコネクタ１２とを一体型としても良い。
【００３７】
また、本実施例の保管庫システムは、スマートフォン１１が、ＧＰＳ情報をサーバー１４に送信すること、サーバー１４は、ＧＰＳ情報が、開錠したい保管庫５０の近くのエリア内でないときには、開錠許可保管庫番号を送信しないこと、を特徴とするので、例えば、上司が自分の机に居てスマートフォンを操作して、電子キーを使用できる状態にした後、電子キーを部下に渡して書類を取りに行かせることを防止できる。
【００３８】
また、本実施例の保管庫システムは、（ｅ）電子キー１３により、保管庫５０の錠前２０を施錠した後、電子キー１３をスマートフォン１１に接続し、スマートフォン１１は、電子キー１３に記憶されている施錠時刻情報を、サーバー１４に送信すること、（ｆ）サーバー１４は、開錠許可保管庫番号をスマートフォン１１に送信した後、施錠時刻情報を入手するまでの期間、該当する開錠許可保管庫番号を、他のスマートフォンに送信することを禁止すること、を特徴とするので、１つの保管庫５０に対して、２以上のスマートフォン１１に同時に、開錠許可をあたえることがないため、使用者が錯綜して、履歴の確実性、すなわち、使用者の特定を確実に行うことができる。
【００３９】
また、本保管庫システムで使用される保管庫プログラムは、上記保管庫システムを実施するための保管庫プログラムにおいて、サーバー１４から、スマートフォン１１にダウンロードされることを特徴とするので、スマートフォン１１の有するダウンロード機能、ダウンロードしたプログラムを利用する機能、通信機能等をそのまま活用できるため、使用者にとって、使い勝手の良い保管庫システムを提供することができる。
【００４０】
なお、この発明は前記実施形態に限定されるものではなく、発明の趣旨を逸脱することのない範囲で構成の一部を適宜変更して実施することもできる。
例えば、本実施例では、保管庫側の錠前制御手段４０により、有効時刻の管理を行っているが、電子キー１３が電池を備えていれば、電子キー１３側で、有効時刻を超えたときに、開錠許可保管庫番号を消去させても良い。
また、本実施例では、iPhoneを使用しているが、他のメーカーのスマートフォンを利用しても良い。
また、本実施例では、接触式ＩＣチップ１３１を使用しているが、非接触式のＩＣチップを使用しても良い。
また、本実施例では、個人認証をパスワードを用いて行っているが、指紋認証や静脈認証を用いても良い。その場合には、指紋データや静脈データをデータとしてサーバーに送信し、サーバー側に記憶されているデータと照合を行えば良い。
【００４１】
また、本実施例では、電子キー１３とコネクタ１２とを別体としているが、図１１に示すように、一体的に構成しても良い。図１１では、電子キー１３の挿入部１３２とは反対側に、コネクタ１４０を形成している。コネクタ部１４０は、スマートフォン１１の端子部１１３と直接接続可能である。これによれば、スマートフォン１１とは、コネクタ部１４０を用いて接続し、錠前２０とは、挿入部１３２を用いて接続できるため、余分なコネクタ１２を必要としないため、システムをシンプルにでき、使用者にとって使い勝手が良くなる利点がある。
また、本実施例では、錠前制御手段４０は、電子キー１３に記憶されている開錠許可保管庫番号に相当する保管庫の錠前を無条件で開錠しているが、当該保管庫にアクセスできる権限を有する者のＩＤ等を記憶しておき、ダブルでチェックしても良い。
また、本実施例において、有効時刻を開錠許可を得た時刻から５分後の時刻としているが、これは、保管庫が配置されている位置等を考慮して、適宜変更すれば良い。
【符号の説明】
【００４２】
１１    スマートフォン
１１１  タッチパネル
１１５  保管庫プログラム
１１８  ＧＰＳ
１２    コネクタ
１３    電子キー
１３１  接触式ＩＣチップ
１３９  ＬＥＤ
１４    サーバー
１４２  プログラム
【図１】
2011064030.tif 000003
【図２】
2011064030.tif 000004
【図３】
2011064030.tif 000005
【図４】
2011064030.tif 000006
【図５】
2011064030.tif 000007
【図６】
2011064030.tif 000008
【図７】
2011064030.tif 000009
【図８】
2011064030.tif 000010
【図９】
2011064030.tif 000011
【図１０】
2011064030.tif 000012
【図１１】
2011064030.tif 000013